(57)【要約】      （修正有）【課題】人体を過度に拘束することなく体位を固定する体位固定用ベルトを提供する。【解決手段】身体の腰部に装着するベルト１２と、ベルト１２の長手方向における両端部にそれぞれ取り付けられた一対のジョイント１４、１６と、ベルト１２にクッションを装着するためのバンド１８を備えて体位固定用ベルト１０を形成する。体位固定用ベルト１０は側臥位にある者に装着して使用し、クッションを背中側に当て、ベルト１２の長い方を身体と寝台の間に通し、腹部に巻き付けるようにして腰骨のあたりでベルト１２の短い方と連結する。【選択図】図１
0003179142.tif 000002
【実用新案登録請求の範囲】
【請求項１】
身体の腰部に装着するベルトと、
前記ベルトの長手方向における両端部にそれぞれ取り付けられた一対のジョイントと、
前記ベルトに体位固定具を装着するためのバンドを備えた、
体位固定用ベルト。
【請求項２】
前記バンドが前記ベルトの長手方向における中央部から何れかの方向に寄せられた位置に取り付けられた、
請求項１に記載の体位固定用ベルト。
【請求項３】
前記体位固定具が、クッション、枕、タオルの何れかである、
請求項１または２に記載の体位固定用ベルト。
【考案の詳細な説明】
【技術分野】
【０００１】
本考案は、長期入院患者など、寝たきりを余儀なくされた患者や要介護者に発症しやすい褥瘡を予防する技術に関する。
【背景技術】
【０００２】
褥瘡は、一般には床ずれとも呼ばれ、長期にわたり同じ体勢で寝たきりを余儀なくされた場合などに、寝台と接触する部分の血管が圧迫され、皮膚への血流が乏しくなった結果、虚血性壊死と呼ばれる皮膚が死んだ状態となることをいう。健常者であれば、意識的に寝返りを打ったり、もしくは無意識のうちに寝返りを打ったりして褥瘡を予防することができるが、自ら体位変換ができない者は、介護者等の補助を受けて体位変換を行わなければならない。体位変換は２時間毎に行うことが推奨されているが、その間は一定の体位を維持できるように配慮しなければならない。
【０００３】
従来、例えば仰臥位から左右何れかの側臥位に体位変換した場合、背中側に丸めた布団やクッションなどを当て、これを支えにして体位を固定することが多かった。しかし、時間の経過とともに支えが崩れてしまい、体位固定具としては不十分なものであった。これに関して、乳幼児の寝返り防止具ではあるが、特許文献１に寝台に身体を拘束することで体位を固定する技術が開示されている。
【先行技術文献】
【特許文献】
【０００４】
【特許文献１】特開平１１−２７６３１２号公報
【考案の概要】
【考案が解決しようとする課題】
【０００５】
ところで介護や医療の現場においては、身体拘束は人権擁護の観点から可能な限り排除すべきものだとされている。従って、特許文献１に開示されているような人体を寝台に縛り付けるような固定具は、介護や医療の現場における褥瘡予防のための体位固定具としては到底採用し得ないものである。
【０００６】
そこで本考案は、人体を過度に拘束することなく体位を固定するという課題を解決しようとするものである。
【課題を解決するための手段】
【０００７】
本考案は、身体の腰部に巻き付けられるベルトと、前記ベルトの長手方向における両端部にそれぞれ取り付けられた一対のジョイントと、前記ベルトに体位固定具を固定するためのバンドを備えた、体位固定用ベルトとして構成される。
【０００８】
体位固定用ベルトは、体位固定具を人体の背中側に固定することによって、側臥位から仰臥位への体位変換を防止し、側臥位を一定時間維持させるためのベルトである。体位固定用ベルトは人体の用部に巻き付けて使用するため、着用者は拘束感をほとんど覚えることがなく、寝返り以外の日常的な動作はほとんど問題なく行うことができる。
【０００９】
体位固定具は、専用のクッションや市販のクッション、枕、タオル類を丸めて嵩をつくったものなどを使用することができる。着用者の体型や体格、嗜好等を考慮して、形や大きさ、硬さなどの要素を適宜選択することができる。
【００１０】
体位固定用ベルトは、側臥位にある人体に装着しやすいように一対のジョイントが人体の側部にあることが望ましい。そのためにはバンドの位置をベルトの長手方向における中央部から何れかの方向に寄せ、体位固定具が中央部から左右の何れかに片寄った位置に固定されるようにするとよい。
【考案の効果】
【００１１】
体位固定用ベルトは人体の腰部に着用するため、装着者は寝返り以外の日常的な動作はほとんど問題なく行うことができることから、ほとんど拘束感を覚えることがない。体位固定用ベルトを使用することによって、人体を過度に拘束することなく体位変換を防止し、褥瘡の発症を予防することができる。
【図面の簡単な説明】
【００１２】
【図１】体位固定用ベルトの図
【図２】体位固定用ベルトに体位固定具を装着した状態を示す図
【図３】体位固定用ベルトの使用例を示す図
【考案を実施するための形態】
【００１３】
本考案の実施の形態である体位固定用ベルトについて、図面を参照して説明する。図１において、体位固定用ベルト１０は、ベルト１２、雌雄一対のジョイント１４、１６、バンド１８によって構成されている。ベルト１２は、強度と柔軟性を兼ね備えた繊維素材によるものであり、人体の腰周りに巻き付けて着用することが可能なだけの長さを有している。長手方向中央において最も幅が広く、両端に行くにつれて幅が狭くなっている。ベルト１２は外周を形成する縁部２０と、縁部２０に囲まれたメッシュ部２２によって構成されている。縁部２０はベルト１２の強度を確保するとともに形状を維持する機能を有し、メッシュ部２２は腰部に装着したときの通気性を確保する機能を有する。
【００１４】
ベルト１２の長手方向中央よりやや右寄り（もしくは左寄り）には２本のバンド１８が取り付けられている。これらバンド１８はベルト１２の幅方向に距離をおいた配置になっている。バンド１２は、強度と柔軟性を兼ね備えた繊維素材によるものであり、図２に示すようにクッション２４の外周を両側から囲うことが可能なだけの長さを有している。バンド１８の両端には面ファスナー２６、２８が取り付けられている。雌側の面ファスナー２６は、クッション２４の外形に合わせてバンド１８の長さの調整ができるように雄側の面ファスナー２８より長めになっている。
【００１５】
クッション２４は硬すぎると装着感や使用感が悪く、快適な休息や睡眠を阻害する原因となり、逆に軟らかすぎても体重を支えることができず、体位固定の用をなさない。またサイズについても着用者の体格や体型にあったものを選ばないと快適さと体位固定の両立を図ることができない。これらの条件を満たすものであれば、市販のクッションや枕から適宜選択して使用することができる。またタオル類を適宜丸めたり折り畳んだりするなどして適当な大きさと硬さに調整したものを使用してもよい。
【００１６】
体位固定用ベルト１０は、図３に示すように、側臥位にある者に装着して使用する。装着時にはクッション２４を背中側に当て、ベルト１２の長い方を身体と寝台の間に通し、腹部に巻き付けるようにして腰骨のあたりでベルト１２の短い方と連結する。最後にジョイント１４、１６のアジャスター機能を用いて身体にフィットするようにベルト１２の長さを調整する。
【００１７】
体位固定用ベルト１０の着用者は、背中側に固定されたクッション２４が邪魔をするため自由に寝返りが打てず、側臥位のまま固定される。一般には２時間毎の体位変換が推奨されているため、装着から２時間を経過したら体位固定用ベルト１０を外し、仰臥位もしくは向きを変えた側臥位に体位を変換させる。側臥位に体位変換する場合は、一旦外した体位固定用ベルト１０を上下逆にして再び装着し、体位を固定する。
【符号の説明】
【００１８】
１０体位固定用ベルト
１２ベルト
１４、１６ジョイント
１８バンド
２４クッション
【図１】
0003179142.tif 000003
【図２】
0003179142.tif 000004
【図３】
0003179142.tif 000005